(57)【要約】【課題】補正に関するデータを容易に回収することができる放射線検出器、放射線検出システム、および補正に関するデータの回収方法を提供することである。【解決手段】実施形態に係る放射線検出器は、放射線を直接的またはシンチレータと協働して検出可能な複数の検出部を有するアレイ基板と、前記アレイ基板と電気的に接続され、前記複数の検出部から画像データ信号を読み出し、前記読み出された画像データ信号を放射線検出器の外部に設けられた情報処理装置に送信可能な回路基板と、前記情報処理装置から送信された補正に関するデータを格納可能なデータ格納部と、を備えている。【選択図】図２
2019070538.tif 000002
【特許請求の範囲】
【請求項１】
放射線を直接的またはシンチレータと協働して検出可能な複数の検出部を有するアレイ基板と、
前記アレイ基板と電気的に接続され、前記複数の検出部から画像データ信号を読み出し、前記読み出された画像データ信号を放射線検出器の外部に設けられた情報処理装置に送信可能な回路基板と、
前記情報処理装置から送信された補正に関するデータを格納可能なデータ格納部と、
を備えた放射線検出器。
【請求項２】
前記補正に関するデータは、補正に関するコマンド情報、補正の演算式、補正のパラメータ、および、欠陥がある前記検出部の位置情報の少なくともいずれかである請求項１記載の放射線検出器。
【請求項３】
前記データ格納部は、前記情報処理装置からの補正が施された放射線画像のデータをさらに格納可能となっている請求項１または２に記載の放射線検出器。
【請求項４】
請求項１〜３のいずれか１つに記載の放射線検出器と、
前記放射線検出器に設けられた回路基板およびデータ格納部と電気的に接続可能とされ、前記放射線検出器からの画像データ信号を補正し、前記補正された画像データ信号に基づいて放射線画像を構成し、補正に関するデータを前記データ格納部に送信可能な情報処理装置と、
を備えた放射線検出システム。
【請求項５】
前記情報処理装置は、補正が施された放射線画像のデータを前記データ格納部にさらに送信可能となっている請求項４記載の放射線検出システム。
【請求項６】
前記情報処理装置がデータを前記データ格納部に送信するタイミングは、前記放射線検出器と前記情報処理装置とが電気的に接続された時、前記放射線検出システムの起動時、前記放射線検出システムのシャットダウンの時、補正に関するコマンドが正常に実行されなかった時、および入力部から送信に関するコマンドが入力された時のいずれかである請求項４または５に記載の放射線検出システム。
【請求項７】
請求項４〜６のいずれか１つに記載の放射線検出システムから、放射線検出器を取り外すことでデータを回収する補正に関するデータの回収方法。
【発明の詳細な説明】
【技術分野】
【０００１】
本発明の実施形態は、放射線検出器、放射線検出システム、および補正に関するデータの回収方法に関する。
【背景技術】
【０００２】
放射線検出器の一例にＸ線検出器がある。Ｘ線検出器には、例えば、Ｘ線を蛍光に変換するシンチレータと、蛍光を画像データ信号に変換するアレイ基板と、アレイ基板と電気的に接続され、画像データ信号を読み出す回路基板と、が設けられている。また、回路基板と電気的に接続され、１枚または複数枚のＸ線画像を構成するための画像データ信号を一時的に格納するメモリが設けられる場合もある。
【０００３】
Ｘ線検出器は、読み出された画像データ信号をＬＡＮ（Local Area Network）回線などを介して、Ｘ線検出器の外部に設けられた情報処理装置に送信する。情報処理装置は、受信した画像データ信号に基づいてＸ線画像を構成する。また、アレイ基板から読み出された画像データ信号にはノイズが含まれている。そのため、情報処理装置は、Ｘ線画像を構成する際に、ノイズを除去するための補正を行う。情報処理装置は、補正が施されたＸ線画像を表示装置などに表示したり、外部の機器に送信したりする。
【０００４】
ここで、Ｘ線検出器に異常が発生した場合には、一般的には、異常が発生したＸ線検出器を情報処理装置から取り外し、取り外されたＸ線検出器のみが保守点検業者やメーカーに送られ、異常原因の特定および修理が行われる。この場合、補正に関するデータを知ることができれば、異常原因の特定が容易となる。ところが、補正に関するデータは、情報処理装置に格納されているので、送られてきたＸ線検出器から補正に関するデータを取得することができない。  
ここで、Ｘ線検出器にメモリを設ける場合もある。しかしながら、一般的には、メモリは、回路基板と電気的に接続されており、メモリにはＸ線画像を構成するための画像データ信号が一時的に格納される。すなわち、一般的には、メモリには補正に関するデータが格納されていない。
【０００５】
そのため、保守点検業者などに送られてきたＸ線検出器には補正に関するデータが格納されておらず、異常原因の特定に手間と時間を要していた。  
この場合、保守点検業者などが情報処理装置の設置場所に出向いたり、インターネットなどを介したりして、補正に関するデータを回収することもできる。ところが、保守点検業者などが補正に関するデータの格納場所やファイル名を熟知していなければ、補正に関するデータを回収することは困難である。そのため、異常原因の特定に必要となるデータが回収できない場合が生じ得る。  
そこで、保守点検業者などが補正に関するデータを容易に回収することができる技術の開発が望まれていた。
【先行技術文献】
【特許文献】
【０００６】
【特許文献１】特開２０１０−２１４１０８号公報
【発明の概要】
【発明が解決しようとする課題】
【０００７】
本発明が解決しようとする課題は、補正に関するデータを容易に回収することができる放射線検出器、放射線検出システム、および補正に関するデータの回収方法を提供することである。
【課題を解決するための手段】
【０００８】
実施形態に係る放射線検出器は、放射線を直接的またはシンチレータと協働して検出可能な複数の検出部を有するアレイ基板と、前記アレイ基板と電気的に接続され、前記複数の検出部から画像データ信号を読み出し、前記読み出された画像データ信号を放射線検出器の外部に設けられた情報処理装置に送信可能な回路基板と、前記情報処理装置から送信された補正に関するデータを格納可能なデータ格納部と、を備えている。
【図面の簡単な説明】
【０００９】
【図１】本実施の形態に係るＸ線検出器を備えたＸ線検出システムを例示するための模式図である。
【図２】Ｘ線検出器を備えたＸ線検出システムのブロック図である。
【図３】Ｘ線検出器の模式斜視図である。
【図４】アレイ基板の回路図である。
【発明を実施するための形態】
【００１０】
以下、図面を参照しつつ、実施の形態について例示をする。なお、各図面中、同様の構成要素には同一の符号を付して詳細な説明は適宜省略する。  
また、本発明の実施形態に係る放射線検出器は、Ｘ線のほかにもγ線などの各種放射線に適用させることができる。ここでは、一例として、放射線の中の代表的なものとしてＸ線に係る場合を例にとり説明をする。したがって、以下の実施形態の「Ｘ線」を「他の放射線」に置き換えることにより、他の放射線にも適用させることができる。
【００１１】
また、以下に例示をするＸ線検出器１は、Ｘ線平面センサである。Ｘ線平面センサには、大きく分けて直接変換方式と間接変換方式がある。  
間接変換方式のＸ線検出器には、例えば、複数の光電変換部を有するアレイ基板と、複数の光電変換部の上に設けられＸ線を蛍光（可視光）に変換するシンチレータとが設けられている。間接変換方式のＸ線検出器においては、外部から入射したＸ線はシンチレータにより蛍光に変換される。発生した蛍光は、光電変換部により信号電荷に変換される。  
直接変換方式のＸ線検出器には、例えば、アモルファスセレンなどからなる光電変換膜が設けられている。直接変換方式のＸ線検出器においては、外部から入射したＸ線は、光電変換膜に吸収され、信号電荷に直接変換される。
【００１２】
以下においては、一例として、間接変換方式のＸ線検出器１を例示するが、本発明は直接変換方式のＸ線検出器にも適用することができる。なお、直接変換方式のＸ線検出器には既知の技術を適用することができるので詳細な説明は省略する。  
すなわち、Ｘ線検出器は、Ｘ線を電気的な情報に変換する検出部を有するものであれば良い。検出部は、例えば、Ｘ線を直接的またはシンチレータと協働して検出するものとすることができる。  
Ｘ線検出器１は、例えば、一般医療などに用いることができる。ただし、Ｘ線検出器１の用途は、一般医療に限定されるわけではない。
【００１３】
図１は、本実施の形態に係るＸ線検出器１を備えたＸ線検出システム１００を例示するための模式図である。  
図２は、Ｘ線検出器１を備えたＸ線検出システム１００のブロック図である。  
図３は、Ｘ線検出器１の模式斜視図である。  
図４は、アレイ基板２の回路図である。  
図１および図２に示すように、Ｘ線検出システム１００には、Ｘ線検出器１および情報処理装置１０が設けられている。  
図２および図３に示すように、Ｘ線検出器１には、アレイ基板２、回路基板３、データ格納部４、およびシンチレータ５が設けられている。
【００１４】
アレイ基板２は、シンチレータ５によりＸ線から変換された蛍光を信号電荷に変換する。
アレイ基板２は、基板２ａ、光電変換部２ｂ、制御ライン（又はゲートライン）２ｃ１、データライン（又はシグナルライン）２ｃ２、および保護層２ｆなどを有する。  
なお、光電変換部２ｂ、制御ライン２ｃ１、およびデータライン２ｃ２などの数は例示をしたものに限定されるわけではない。
本実施の形態においては、光電変換部２ｂがＸ線をシンチレータ５と協働して検出する検出部となる。
【００１５】
基板２ａは、板状を呈し、無アルカリガラスなどの透光性材料から形成されている。  
光電変換部２ｂは、基板２ａの一方の面に複数設けられている。光電変換部２ｂは、矩形状を呈し、制御ライン２ｃ１とデータライン２ｃ２とにより画された領域に設けられている。複数の光電変換部２ｂは、マトリクス状に並べられている。なお、１つの光電変換部２ｂは、Ｘ線画像の１つの画素（pixel）に対応する。
【００１６】
複数の光電変換部２ｂのそれぞれには、光電変換素子２ｂ１と、スイッチング素子である薄膜トランジスタ（ＴＦＴ；Thin Film Transistor）２ｂ２が設けられている。  
また、図４に示すように、光電変換素子２ｂ１において変換した信号電荷を蓄積する蓄積キャパシタ２ｂ３を設けることができる。蓄積キャパシタ２ｂ３は、例えば、矩形平板状を呈し、各薄膜トランジスタ２ｂ２の下に設けることができる。ただし、光電変換素子２ｂ１の容量によっては、光電変換素子２ｂ１が蓄積キャパシタ２ｂ３を兼ねることができる。
【００１７】
光電変換素子２ｂ１は、例えば、フォトダイオードなどとすることができる。  
薄膜トランジスタ２ｂ２は、蓄積キャパシタ２ｂ３への電荷の蓄積および放出のスイッチングを行う。薄膜トランジスタ２ｂ２は、ゲート電極２ｂ２ａ、ドレイン電極２ｂ２ｂ及びソース電極２ｂ２ｃを有している。薄膜トランジスタ２ｂ２のゲート電極２ｂ２ａは、対応する制御ライン２ｃ１と電気的に接続される。薄膜トランジスタ２ｂ２のドレイン電極２ｂ２ｂは、対応するデータライン２ｃ２と電気的に接続される。薄膜トランジスタ２ｂ２のソース電極２ｂ２ｃは、対応する光電変換素子２ｂ１と蓄積キャパシタ２ｂ３とに電気的に接続される。また、光電変換素子２ｂ１のアノード側と蓄積キャパシタ２ｂ３は、グランドに電気的に接続される。
【００１８】
制御ライン２ｃ１は、所定の間隔をあけて互いに平行に複数設けられている。制御ライン２ｃ１は、例えば、行方向に延びている。  
１つの制御ライン２ｃ１は、基板２ａの周縁近傍に設けられた複数の配線パッド２ｄ１のうちの１つと電気的に接続されている。１つの配線パッド２ｄ１には、フレキシブルプリント基板２ｅ１に設けられた複数の配線のうちの１つが電気的に接続されている。フレキシブルプリント基板２ｅ１に設けられた複数の配線の他端は、回路基板３に設けられた読み出し回路３ａとそれぞれ電気的に接続されている。
【００１９】
データライン２ｃ２は、所定の間隔をあけて互いに平行に複数設けられている。データライン２ｃ２は、例えば、行方向に直交する列方向に延びている。  
１つのデータライン２ｃ２は、基板２ａの周縁近傍に設けられた複数の配線パッド２ｄ２のうちの１つと電気的に接続されている。１つの配線パッド２ｄ２には、フレキシブルプリント基板２ｅ２に設けられた複数の配線のうちの１つが電気的に接続されている。フレキシブルプリント基板２ｅ２に設けられた複数の配線の他端は、回路基板３に設けられた信号検出回路３ｂとそれぞれ電気的に接続されている。  
制御ライン２ｃ１およびデータライン２ｃ２は、例えば、アルミニウムやクロムなどの低抵抗金属を用いて形成することができる。
【００２０】
保護層２ｆは、光電変換部２ｂ、制御ライン２ｃ１、およびデータライン２ｃ２を覆っている。保護層２ｆは、例えば、酸化物絶縁材料、窒化物絶縁材料、酸窒化物絶縁材料、および樹脂材料の少なくとも１種を含む。
【００２１】
回路基板３は、アレイ基板２の、シンチレータ５が設けられる側とは反対側に設けられている。回路基板３は、アレイ基板２と電気的に接続されている。回路基板３は、複数の光電変換部２ｂから画像データ信号Ｓ２を読み出し、読み出された画像データ信号Ｓ２をＸ線検出器１の外部に設けられた情報処理装置１０に送信可能となっている。
図２に示すように、回路基板３には、読み出し回路３ａ、および信号検出回路３ｂが設けられている。なお、これらの回路を１つの基板に設けることもできるし、これらの回路を複数の基板に分けて設けることもできる。  
読み出し回路３ａは、薄膜トランジスタ２ｂ２のオン状態とオフ状態を切り替える。  
読み出し回路３ａは、複数のゲートドライバ３ａａと行選択回路３ａｂとを有する。
【００２２】
行選択回路３ａｂには、情報処理装置１０から制御信号Ｓ１が入力される。行選択回路３ａｂは、Ｘ線画像の走査方向に従って、対応するゲートドライバ３ａａに制御信号Ｓ１を入力する。  
ゲートドライバ３ａａは、対応する制御ライン２ｃ１に制御信号Ｓ１を入力する。  
例えば、読み出し回路３ａは、フレキシブルプリント基板２ｅ１を介して、制御信号Ｓ１を各制御ライン２ｃ１毎に順次入力する。制御ライン２ｃ１に入力された制御信号Ｓ１により薄膜トランジスタ２ｂ２がオン状態となり、蓄積キャパシタ２ｂ３からの電荷（画像データ信号Ｓ２）が受信できるようになる。
【００２３】
信号検出回路３ｂは、複数の積分アンプ３ｂａ、複数の選択回路３ｂｂ、および複数のＡＤコンバータ３ｂｃを有している。  
１つの積分アンプ３ｂａは、１つのデータライン２ｃ２と電気的に接続されている。積分アンプ３ｂａは、光電変換部２ｂからの画像データ信号Ｓ２を順次受信する。そして、積分アンプ３ｂａは、一定時間内に流れる電流を積分し、その積分値に対応した電圧を選択回路３ｂｂへ出力する。この様にすれば、所定の時間内にデータライン２ｃ２を流れる電流の値（電荷量）を電圧値に変換することが可能となる。すなわち、積分アンプ３ｂａは、シンチレータ５において発生した蛍光の強弱分布に対応した画像データ情報を、電位情報へと変換する。
【００２４】
選択回路３ｂｂは、読み出しを行う積分アンプ３ｂａを選択し、電位情報へと変換された画像データ信号Ｓ２を順次読み出す。  
ＡＤコンバータ３ｂｃは、読み出された画像データ信号Ｓ２をデジタル信号に順次変換する。デジタル信号に変換された画像データ信号Ｓ２は、情報処理装置１０に送信される。
【００２５】
データ格納部４は、情報処理装置１０から送信された補正に関するデータやＸ線画像のデータを格納する。データ格納部４は、回路基板３とは電気的に接続しないようにすることができる。データ格納部４は、例えば、不揮発性半導体記憶装置、ハードディスクドライブなどとすることができる。この場合、データ格納部４は、着脱可能なメモリ（例えば、ＳＤメモリカード）とすることが好ましい。  
なお、データ格納部４に格納されるデータに関する詳細は後述する。
【００２６】
シンチレータ５は、複数の光電変換素子２ｂ１の上に設けられ、入射するＸ線を蛍光に変換する。シンチレータ５は、基板２ａ上の複数の光電変換部２ｂが設けられた領域（有効画素領域）を覆うように設けられている。  
シンチレータ５は、例えば、ヨウ化セシウム（ＣｓＩ）：タリウム（Ｔｌ）、あるいはヨウ化ナトリウム（ＮａＩ）：タリウム（Ｔｌ）などを用いて形成することができる。この場合、真空蒸着法などを用いて、シンチレータ５を形成すれば、複数の柱状結晶の集合体からなるシンチレータ５が形成される。
【００２７】
また、シンチレータ５は、例えば、酸硫化ガドリニウム（Ｇｄ２Ｏ２Ｓ）などを用いて形成することもできる。この場合、複数の光電変換部２ｂごとに四角柱状のシンチレータ５が設けられるように、マトリクス状の溝部を形成することができる。
【００２８】
その他、Ｘ線検出器１には、図示しない反射層を設けることができる。反射層は、シンチレータ５の表面側（Ｘ線の入射面側）を覆うように設けることができる。反射層を設ければ、蛍光の利用効率が高くなるので、感度特性を改善することができる。
【００２９】
また、Ｘ線検出器１には、シンチレータ５と反射層を覆う図示しない防湿体を設けることができる。防湿体を設ければ、空気中に含まれる水蒸気により、シンチレータ５の特性と反射層の特性が劣化するのを抑制することができる。  
また、Ｘ線検出器１には、アレイ基板２、回路基板３、データ格納部４、およびシンチレータ５を収納する筐体を設けることができる。筐体の内部には板状の支持板３０を設けることができる。そして、図３に示すように、支持板３０のＸ線の入射側にはアレイ基板２およびシンチレータ５を設け、支持板３０のＸ線の入射側とは反対側には回路基板３およびデータ格納部４を設けることができる。
【００３０】
情報処理装置１０は、配線１０ａを介して、回路基板３およびデータ格納部４と電気的に接続されている。なお、情報処理装置１０は、無線により、回路基板３およびデータ格納部４と電気的に接続することもできる。  
情報処理装置１０は、デジタル信号に変換された画像データ信号Ｓ２に基づいてＸ線画像を構成する。また、情報処理装置１０は、Ｘ線画像を構成する際に画像データ信号Ｓ２を補正する。
情報処理装置１０には、画像構成部１１、オフセット補正部１２、ゲイン補正部１３、欠陥補正部１４、および入出力部１５が設けられている。情報処理装置１０は、例えば、ＣＰＵ（Central Processing Unit）、記憶装置、および入出力装置を備えたコンピュータシステムとすることができる。
【００３１】
画像構成部１１は、後述する補正がされた画像データ信号Ｓ２に基づいて、Ｘ線画像を構成する。画像構成部１１は、例えば、マトリクス状に配置された複数の光電変換部２ｂの行と列にしたがって、画像データ信号Ｓ２を順次処理することで、Ｘ線画像を構成する。
【００３２】
オフセット補正部１２は、画像データ信号Ｓ２に対して、複数の光電変換部２ｂごとに異なるオフセット成分と、このオフセット成分に起因する積分アンプ３ｂａにおける画像ノイズと、を除去する補正を行う。オフセット補正部１２には、補正のための演算式や、演算を行う際に用いられるパラメータが格納された格納部１２ａが電気的に接続されている。なお、オフセット補正部１２における演算、演算に用いられる演算式、およびパラメータなどには既知の技術を適用することができるので詳細な説明は省略する。
【００３３】
ゲイン補正部１３は、複数の光電変換部２ｂごとに異なる光検出効率、複数の積分アンプ３ｂａごとに異なる積分率、シンチレータ５における変換効率のばらつきなどに関する補正を行う。ゲイン補正部１３には、補正のための演算式や、演算を行う際に用いられるパラメータが格納された格納部１３ａが電気的に接続されている。なお、ゲイン補正部１３における演算、演算に用いられる演算式、およびパラメータなどには既知の技術を適用することができるので詳細な説明は省略する。
【００３４】
欠陥補正部１４は、断線による欠陥がある光電変換部２ｂからの画像データ信号Ｓ２を除外する補正を行う。また、欠陥補正部１４は、断線による欠陥がある光電変換部２ｂの周囲にある正常な光電変換部２ｂからの画像データ信号Ｓ２に基づいて、断線による欠陥がある光電変換部２ｂに対応する位置の画像データ信号Ｓ２を生成することもできる。  
また、欠陥補正部１４は、短絡による欠陥がある光電変換部２ｂからの画像データ信号Ｓ２を除外する補正を行うこともできる。この場合、欠陥補正部１４は、短絡による欠陥がある光電変換部２ｂの周囲にある正常な光電変換部２ｂからの画像データ信号Ｓ２に基づいて、短絡による欠陥がある光電変換部２ｂに対応する位置の画像データ信号Ｓ２を生成することもできる。
【００３５】
欠陥補正部１４には、補正のための演算式や、演算を行う際に用いられる欠陥がある光電変換部２ｂの位置情報などが格納された格納部１４ａが電気的に接続されている。なお、欠陥補正部１４における演算、演算に用いられる演算式などには既知の技術を適用することができるので詳細な説明は省略する。
【００３６】
入出力部１５には、入力部１５ａおよび出力部１５ｂが設けられている。  
Ｘ線検出システム１００の操作者は、入力部１５ａから情報を入力する。入力部１５ａは、例えば、キーボードやマウスなどとすることができる。入力部１５ａから入力する情報は、例えば、Ｘ線画像の撮影の開始、撮影条件、日付や名称などのインデックスなどとすることができる。  
出力部１５ｂは、補正が施されたＸ線画像、入力部１５ａから入力された文字情報などを表示する。出力部１５ｂは、例えば、フラットパネルディスプレイなどとすることができる。
【００３７】
また、情報処理装置１０は、補正に関するデータをＸ線検出器１に設けられたデータ格納部４に送信する。補正に関するデータは、例えば、補正に関するコマンド情報、格納部１２ａ〜１４ａに格納されている情報などとすることができる。補正に関するコマンド情報は、例えば、コマンドの実行時刻、終了時刻、実行結果、実行内容、コマンドが正常に実行されなかった場合の記録（エラー記録）などとすることができる。格納部１２ａ〜１４ａに格納されている情報は、例えば、格納部１２ａ〜１４ａに格納されている演算式、パラメータ、および欠陥がある光電変換部２ｂの位置情報などとすることができる。また、情報処理装置１０は、補正が施されたＸ線画像のデータをデータ格納部４に送信する。データ格納部４は、入力されたこれらのデータを格納する。  
これらのデータをデータ格納部４に送信するタイミングは、例えば、Ｘ線検出器１と情報処理装置１０とが電気的に接続された時、Ｘ線検出システム１００の起動時、シャットダウンの時、補正に関するコマンドが正常に実行されなかった時、入力部１５ａから送信に関するコマンドが入力された時などとすることができる。
【００３８】
異常が発生したＸ線検出器１は、これらのデータが格納されたデータ格納部４と共に保守点検業者やメーカーに送られる。保守点検業者などは、異常原因の特定をする際に、データ格納部４に格納されているデータを利用することができる。本実施の形態に係るＸ線検出器１とすれば、異常原因の特定に必要となる補正に関するデータや、Ｘ線画像のデータを容易に回収することができる。その結果、異常原因の特定に必要となる手間と時間を大幅に低減させることができる。  
また、本実施の形態に係るＸ線検出器１とすれば、異常が発生したＸ線検出器１と、異常原因の特定に必要となるデータとを同時かつ一体に入手することができる。この様にすれば、インターネットなどの一般的な通信網を介してデータを入手する場合と比べて、情報漏洩やデータの改ざんなどのリスクを低減させることができる。
【００３９】
以上に説明したように、本実施の形態に係る補正に関するデータの回収方法は、Ｘ線検出システム１００からＸ線検出器１を取り外すことで、Ｘ線検出器１とともに補正に関するデータを回収する。この様にすれば、異常が発生したＸ線検出器１と、異常原因の特定に必要となるデータとを同時かつ一体に入手することができる。
【００４０】
以上、本発明のいくつかの実施形態を例示したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更などを行うことができる。これら実施形態やその変形例は、発明の範囲や要旨に含まれるとともに、特許請求の範囲に記載された発明とその均等の範囲に含まれる。また、前述の各実施形態は、相互に組み合わせて実施することができる。
【符号の説明】
【００４１】
１  Ｘ線検出器、２  アレイ基板、２ｂ  光電変換部、２ｂ１  光電変換素子、３  回路基板、３ａ  読み出し回路、３ｂ  信号検出回路、４  データ格納部、５  シンチレータ、１０  情報処理装置、１１  画像構成部、１２  オフセット補正部、１２ａ  格納部、１３  ゲイン補正部、１３ａ  格納部、１４  欠陥補正部、１４ａ  格納部、１５  入出力部、１００  Ｘ線検出システム
【図１】
2019070538.tif 000003
【図２】
2019070538.tif 000004
【図３】
2019070538.tif 000005
【図４】
2019070538.tif 000006